(57)【特許請求の範囲】
【請求項１】
本体を含み、前記本体の中には後壁空間が設置され、前記本体の前側面には分離箱と、水圧箱及び検出箱が固定的に設置され、前記検出箱の頂側にはスポンジ箱が固定的に設置され、前記検出箱と前記後壁空間の中にはスポンジを選別できる選別装置が設置され、前記選別装置は前記検出箱の中に設置された内部空間を含み、前記後壁空間の後側壁には動力モーターが固定的に設置され、前記動力モーターの中には動力軸が伝動できるように連結され、前記動力軸には扇形歯車が固定的に設置され、前記後壁空間の前後側壁には回転軸が回転できるように連結され、前記回転軸には前記扇形歯車と噛み合うことができる従動歯車が固定的に設置され、前記扇形歯車が一周回転すると、前記従動歯車が四分の一周回転し、前記回転軸が前方へ延びて前記後壁空間の前側壁を貫通して前記内部空間の中に入り、且つ前記内部空間の後側壁と回転できるように連結され、前記回転軸の前側には回転空き盤が固定的に設置され、前記回転空き盤の中には前方に開口した開口空間が設置され、前記内部空間の前側壁には当接ブロックが固定的に設置され、前記回転空き盤の外周には四つの支持ロッドが固定的に設置され、前記支持ロッドの片側には前記内部空間の内壁とスライドできるように連結されることができる検出空間が固定的に設置され、前記検出空間の間には止めリングが連結され、前記開口空間と前記検出空間との間には昇降スライドロッドがスライドできるように連結され、前記昇降スライドロッドの片側には前記当接ブロックとスライドできるように連結された移動スライドブロックが固定的に設置され、前記移動スライドブロックと前記開口空間の内壁との間には復帰ばねが連結され、前記スポンジ箱の中にはスポンジを送ることができる送り装置が設置され、前記水圧箱の中には吸水能力を検出できる検出装置が設置され、前記分離箱の中には良品スポンジと不良品スポンジを区別できるより分け装置が設置されていることを特徴とする水位測定を利用してスポンジの品質を迅速に検出する装置。
【請求項２】
前記送り装置は前記スポンジ箱の中に設置された送り空間を含み、前記送り空間の中には送り輪が設置され、前記検出箱の中には前記送り空間と連通した入り口が設置され、前記送り輪が回転するとき、前記送り輪にあるスポンジを前記入り口の中に落とせることを特徴とする請求項１に記載の水位測定を利用してスポンジの品質を迅速に検出する装置。
【請求項３】
前記検出装置は前記内部空間の底壁に設置された水落ちパイプを含み、前記水圧箱の中には前記水落ちパイプと連通した水圧パイプが設置され、前記水圧パイプの右側壁には水ポンプが固定的に設置され、前記水圧パイプの左側壁には液圧スライド空間が設置され、前記液圧スライド空間の中には液圧スライドブロックがスライドできるように連結され、前記液圧スライド空間の中には作動油が設置され、前記昇降スライド空間の中にはモータースライドブロックがスライドできるように連結され、前記モータースライドブロックの中には昇降モーターが固定的に設置され、前記昇降モーターの中には昇降親ねじが伝動できるように連結され、前記昇降親ねじの頂側には前記昇降スライド空間とスライドできるように連結されたねじ山ラックがねじ山により連結され、前記昇降スライド空間の前後側壁には貫通軸が回転できるように連結され、前記貫通軸には前記ねじ山ラックと噛み合える駆動歯車が固定的に設置され、前記貫通軸が後ろへ前記後壁空間の中に挿入され、且つ前記後壁空間の前後側壁と回転できるように連結されていることを特徴とする請求項１に記載の水位測定を利用してスポンジの品質を迅速に検出する装置。
【請求項４】
前記より分け装置は前記分離箱の中に設置された仕切り空間を含み、前記検出箱の中には前記仕切り空間と連通できる出口が設置され、前記仕切り空間の底壁には検出パイプが左右対称に且つ連通するように設置され、前記分離箱の前側壁には延伸軸が回転できるように連結され、前記延伸軸には前記検出パイプの開閉を制御できる仕切り板が固定的に設置され、前記延伸軸が後ろへ前記後壁空間の中に挿入され、且つ前記後壁空間の前後側壁と回転できるように連結され、前記延伸軸と前記貫通軸とが前記後壁空間の中でベルトにより連結されていることを特徴とする請求項１に記載の水位測定を利用してスポンジの品質を迅速に検出する装置。
【請求項５】
前記内部空間の右側壁には排水口が設置され、前記排水口の右側には排水パイプが連通するように設置され、前記分離箱と前記検出箱の底面には支持ロッドが固定的に設置され、前記検出箱の右側には前記検出空間と連通できる入水パイプが設置されていることを特徴とする請求項１に記載の水位測定を利用してスポンジの品質を迅速に検出する装置。
【発明の詳細な説明】
【技術分野】
【０００１】
本発明は水位測定分野を取り上げて、具体的には水位測定を利用してスポンジの品質を迅速に検出する装置である。
【背景技術】
【０００２】
スポンジは多孔質の材料であり、良い吸水性を持ち、ものを洗浄でき、洗車や家庭用品などの分野に応用され、一般的なスポンジは木材セルロース繊維または発泡プラスチックポリマーで作られる。
スポンジ工場で加工された後、スポンジに対して品質検査を行う必要があり、従来の検出方法は手動で検出し、効率が低く、精確ではなく、また、検出できる機器で検出した後、自動的に選別できなく、補助選別が必要であると同時に、スポンジの種類とサイズにより選別条件を調整できない。
【先行技術文献】
【特許文献】
【０００３】
【特許文献１】中国特許出願公開第１０６２１７８４５号明細書
【発明の概要】
【発明が解決しようとする課題】
【０００４】
本発明の目的は水位測定を利用してスポンジの品質を迅速に検出する装置を提供し、それは上記の現在の技術中の問題を解決できる。
【課題を解決するための手段】
【０００５】
本発明は以下の技術プランを通じて実現する：水位測定を利用してスポンジの品質を迅速に検出する装置は、本体を含み、前記本体の中には後壁空間が設置され、前記本体の前側面には分離箱と、水圧箱及び検出箱が固定的に設置され、前記検出箱の頂側にはスポンジ箱が固定的に設置され、前記検出箱と前記後壁空間の中にはスポンジを選別できる選別装置が設置され、前記選別装置は前記検出箱の中に設置された内部空間を含み、前記後壁空間の後側壁には動力モーターが固定的に設置され、前記動力モーターの中には動力軸が伝動できるように連結され、前記動力軸には扇形歯車が固定的に設置され、前記後壁空間の前後側壁には回転軸が回転できるように連結され、前記回転軸には前記扇形歯車と噛み合うことができる従動歯車が固定的に設置され、前記扇形歯車が一周回転すると、前記従動歯車が四分の一周回転し、前記回転軸が前方へ延びて前記後壁空間の前側壁を貫通して前記内部空間の中に入り、且つ前記内部空間の後側壁と回転できるように連結され、前記回転軸の前側には回転空き盤が固定的に設置され、前記回転空き盤の中には前方に開口した開口空間が設置され、前記内部空間の前側壁には当接ブロックが固定的に設置され、前記回転空き盤の外周には四つの支持ロッドが固定的に設置され、前記支持ロッドの片側には前記内部空間の内壁とスライドできるように連結されることができる検出空間が固定的に設置され、前記検出空間の間には止めリングが連結され、前記開口空間と前記検出空間との間には昇降スライドロッドがスライドできるように連結され、前記昇降スライドロッドの片側には前記当接ブロックとスライドできるように連結された移動スライドブロックが固定的に設置され、前記移動スライドブロックと前記開口空間の内壁との間には復帰ばねが連結され、前記スポンジ箱の中にはスポンジを送ることができる送り装置が設置され、前記水圧箱の中には吸水能力を検出できる検出装置が設置され、前記分離箱の中には良品スポンジと不良品スポンジを区別できるより分け装置が設置されている。
【０００６】
優選的には、前記送り装置は前記スポンジ箱の中に設置された送り空間を含み、前記送り空間の中には送り輪が設置され、前記検出箱の中には前記送り空間と連通した入り口が設置され、前記送り輪が回転するとき、前記送り輪にあるスポンジを前記入り口の中に落とせる。
【０００７】
優選的には、前記検出装置は前記内部空間の底壁に設置された水落ちパイプを含み、前記水圧箱の中には前記水落ちパイプと連通した水圧パイプが設置され、前記水圧パイプの右側壁には水ポンプが固定的に設置され、前記水圧パイプの左側壁には液圧スライド空間が設置され、前記液圧スライド空間の中には液圧スライドブロックがスライドできるように連結され、前記液圧スライド空間の中には作動油が設置され、前記昇降スライド空間の中にはモータースライドブロックがスライドできるように連結され、前記モータースライドブロックの中には昇降モーターが固定的に設置され、前記昇降モーターの中には昇降親ねじが伝動できるように連結され、前記昇降親ねじの頂側には前記昇降スライド空間とスライドできるように連結されたねじ山ラックがねじ山により連結され、前記昇降スライド空間の前後側壁には貫通軸が回転できるように連結され、前記貫通軸には前記ねじ山ラックと噛み合える駆動歯車が固定的に設置され、前記貫通軸が後ろへ前記後壁空間の中に挿入され、且つ前記後壁空間の前後側壁と回転できるように連結されている。
【０００８】
優選的には、前記より分け装置は前記分離箱の中に設置された仕切り空間を含み、前記検出箱の中には前記仕切り空間と連通できる出口が設置され、前記仕切り空間の底壁には検出パイプが左右対称に且つ連通するように設置され、前記分離箱の前側壁には延伸軸が回転できるように連結され、前記延伸軸には前記検出パイプの開閉を制御できる仕切り板が固定的に設置され、前記延伸軸が後ろへ前記後壁空間の中に挿入され、且つ前記後壁空間の前後側壁と回転できるように連結され、前記延伸軸と前記貫通軸とが前記後壁空間の中でベルトにより連結されている。
【０００９】
優選的には、前記内部空間の右側壁には排水口が設置され、前記排水口の右側には排水パイプが連通するように設置され、前記分離箱と前記検出箱の底面には支持ロッドが固定的に設置され、前記検出箱の右側には前記検出空間と連通できる入水パイプが設置されている。
【発明の効果】
【００１０】
以上により、本願発明の有益な効果は：本願発明は巧妙な機械構造によりスポンジの品質を検出し、従来の手動検出と比べて、本願発明の検出効率がより高く、検出結果もより直観的で正確であり、同時に本願発明は吸水要求を自動的に調整でき、異なるスポンジの吸水性の標準によって調整でき、本願発明の実用性と適用性を高め、同時に本願発明は良品と不良品のスポンジを自動的に分類でき、その他の専門分類装置が必要としない。
【図面の簡単な説明】
【００１１】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本願発明の全体全断面の正面構造概略図
【図２】図２は本願発明の図１のＡの局部拡大図
【図３】図３は本願発明の図１の水圧箱の局部拡大図
【図４】図４は本願発明の図１の後壁空間の内部構造概略図
【発明を実施するための形態】
【００１３】
図１〜４を参照し、水位測定を利用してスポンジの品質を迅速に検出する装置は、本体２１を含み、前記本体２１の中には後壁空間６２が設置され、前記本体２１の前側面には分離箱３６と、水圧箱４４及び検出箱４５が固定的に設置され、前記検出箱４５の頂側にはスポンジ箱２２が固定的に設置され、前記検出箱４５と前記後壁空間６２の中にはスポンジを選別できる選別装置１０１が設置され、前記選別装置１０１は前記検出箱４５の中に設置された内部空間４６を含み、前記後壁空間６２の後側壁には動力モーター６３が固定的に設置され、前記動力モーター６３の中には動力軸６６が伝動できるように連結され、前記動力軸６６には扇形歯車６４が固定的に設置され、前記後壁空間６２の前後側壁には回転軸６７が回転できるように連結され、前記回転軸６７には前記扇形歯車６４と噛み合うことができる従動歯車６５が固定的に設置され、前記扇形歯車６４が一周回転すると、前記従動歯車６５が四分の一周回転し、前記回転軸６７が前方へ延びて前記後壁空間６２の前側壁を貫通して前記内部空間４６の中に入り、且つ前記内部空間４６の後側壁と回転できるように連結され、前記回転軸６７の前側には回転空き盤３９が固定的に設置され、前記回転空き盤３９の中には前方に開口した開口空間４１が設置され、前記内部空間４６の前側壁には当接ブロック３８が固定的に設置され、前記回転空き盤３９の外周には四つの支持ロッド２７が固定的に設置され、前記支持ロッド２７の片側には前記内部空間４６の内壁とスライドできるように連結されることができる検出空間２６が固定的に設置され、前記検出空間２６の間には止めリング８０が連結され、前記開口空間４１と前記検出空間２６との間には昇降スライドロッド４０がスライドできるように連結され、前記昇降スライドロッド４０の片側には前記当接ブロック３８とスライドできるように連結された移動スライドブロック４２が固定的に設置され、前記移動スライドブロック４２と前記開口空間４１の内壁との間には復帰ばね４３が連結され、前記スポンジ箱２２の中にはスポンジを送ることができる送り装置１０２が設置され、前記水圧箱４４の中には吸水能力を検出できる検出装置１０３が設置され、前記分離箱３６の中には良品スポンジと不良品スポンジを区別できるより分け装置１０４が設置されている。
【００１４】
また、一つの実施例において、前記送り装置１０２は前記スポンジ箱２２の中に設置された送り空間２４を含み、前記送り空間２４の中には送り輪２３が設置され、前記検出箱４５の中には前記送り空間２４と連通した入り口２５が設置され、前記送り輪２３が回転するとき、前記送り輪２３にあるスポンジを前記入り口２５の中に落とせる。
【００１５】
また、一つの実施例において、前記検出装置１０３は前記内部空間４６の底壁に設置された水落ちパイプ３０を含み、前記水圧箱４４の中には前記水落ちパイプ３０と連通した水圧パイプ５９が設置され、前記水圧パイプ５９の右側壁には水ポンプ６０が固定的に設置され、前記水圧パイプ５９の左側壁には液圧スライド空間６１が設置され、前記液圧スライド空間６１の中には液圧スライドブロック５８がスライドできるように連結され、前記液圧スライド空間６１の中には作動油が設置され、前記昇降スライド空間５１の中にはモータースライドブロック５５がスライドできるように連結され、前記モータースライドブロック５５の中には昇降モーター５６が固定的に設置され、前記昇降モーター５６の中には昇降親ねじ５７が伝動できるように連結され、前記昇降親ねじ５７の頂側には前記昇降スライド空間５１とスライドできるように連結されたねじ山ラック５４がねじ山により連結され、前記昇降スライド空間５１の前後側壁には貫通軸５２が回転できるように連結され、前記貫通軸５２には前記ねじ山ラック５４と噛み合える駆動歯車５３が固定的に設置され、前記貫通軸５２が後ろへ前記後壁空間６２の中に挿入され、且つ前記後壁空間６２の前後側壁と回転できるように連結され、前記昇降モーター５６を始動し、前記ねじ山ラック５４を上方へ移動させ、吸水要求に対する調整を完成し、水が前記水落ちパイプ３０から前記水圧パイプ５９の中に入り、水圧により前記液圧スライドブロック５８を左方へ移動させ、そして作動油により前記モータースライドブロック５５と前記ねじ山ラック５４を上方へ移動させ、水圧が移動程度に達すると、前記ねじ山ラック５４が前記駆動歯車５３と前記貫通軸５２を回転させる。
【００１６】
また、一つの実施例において、前記より分け装置１０４は前記分離箱３６の中に設置された仕切り空間３５を含み、前記検出箱４５の中には前記仕切り空間３５と連通できる出口３７が設置され、前記仕切り空間３５の底壁には検出パイプ３２が左右対称に且つ連通するように設置され、前記分離箱３６の前側壁には延伸軸３３が回転できるように連結され、前記延伸軸３３には前記検出パイプ３２の開閉を制御できる仕切り板３４が固定的に設置され、前記延伸軸３３が後ろへ前記後壁空間６２の中に挿入され、且つ前記後壁空間６２の前後側壁と回転できるように連結され、前記延伸軸３３と前記貫通軸５２とが前記後壁空間６２の中でベルトにより連結され、前記貫通軸５２が回転するとき、前記延伸軸３３を回転させ、前記仕切り板３４を回転させる。
【００１７】
また、一つの実施例において、前記内部空間４６の右側壁には排水口２９が設置され、前記排水口２９の右側には排水パイプ２８が連通するように設置され、前記分離箱３６と前記検出箱４５の底面には支持ロッド３１が固定的に設置され、前記検出箱４５の右側には前記検出空間２６と連通できる入水パイプ７９が設置されている。
【００１８】
初期状態では、送り輪２３には製造されたスポンジが置かれている。
スポンジの吸水機能を検出するとき、まず昇降モーター５６を始動し、ねじ山ラック５４を上方へ移動させ、吸水要求に対する調整を完成し、
そして送り輪２３によりスポンジを右方へ移動させ、動力モーター６３を始動し、動力軸６６と扇形歯車６４を回転させ、従動歯車６５と、回転軸６７と、回転空き盤３９と、支持ロッド２７と、止めリング８０とを回転させ、検出空間２６が入り口２５と位置合わせるとき、一つのスポンジがちょうど検出空間２６の中に落ち、検出空間２６が回転して入水パイプ７９と連通するとき、入水管７９の中の水が検出空間２６の中に入り、スポンジが吸水し、検出空間２６が排水口２９と連通するとき、吸収されない水が排水口２９と排水パイプ２８を経由して排出され、検出空間２６が引き続き回転するとき、当接ブロック３８が移動スライドブロック４２と復帰ばね４３を移動させ、スポンジを押し、検出空間２６が水落ちパイプ３０と連通するとき、水が水圧パイプ５９の中に押され、水が水落ちパイプ３０から水圧パイプ５９の中に入り、水圧により液圧スライドブロック５８を左方へ移動させ、そして作動油によりモータースライドブロック５５とねじ山ラック５４を上方へ移動させ、水圧が移動程度に達すると、ねじ山ラック５４が駆動歯車５３と貫通軸５２とを回転させ、貫通軸５２が回転するとき、延伸軸３３を回転させ、仕切り板３４を回転させ、検出空間２６が出口３７と連通するとき、スポンジを入り口２５の中に押し込み、仕切り板３４が回転するとき、不良品のスポンジが左側の検出パイプ３２から排出されることができ、仕切り板３４が回転しないとき、良品のスポンジが右側の検出パイプ３２から排出されることができ、次の検出空間２６が水落ちパイプ３０と連通するとき、水ポンプ６０を開け、水圧パイプ５９内の水を排出する。
【００１９】
以上に述べたのはただ本願発明の具体的な実施方式で、しかし本願発明の保護範囲はここに限らないである。全部の創造的な労働を通じなく思いついた変化と取替は本願発明の保護範囲にカバーされる。だから本願発明の保護範囲は権利要求書が限定される保護範囲を標準とする。
【要約】
【課題】本発明は水位測定を利用してスポンジの品質を迅速に検出する装置を開示した。
【解決手段】
本体を含み、前記本体の中には後壁空間が設置され、前記本体の前側面には分離箱と、水圧箱及び検出箱が固定的に設置され、前記検出箱の頂側にはスポンジ箱が固定的に設置され、前記検出箱と前記後壁空間の中にはスポンジを選別できる選別装置が設置され、前記選別装置は前記検出箱の中に設置された内部空間を含み、前記後壁空間の後側壁には動力モーターが固定的に設置され、前記動力モーターの中には動力軸が伝動できるように連結され、前記動力軸には扇形歯車が固定的に設置され、前記後壁空間の前後側壁には回転軸が回転できるように連結されている。
【選択図】図１【図１】
0006784886.tif 000002
【図２】
0006784886.tif 000003
【図３】
0006784886.tif 000004
【図４】
0006784886.tif 000005